(57)【特許請求の範囲】
【請求項１】
前後に配置され互いに連通する商品の収納部を有し、この後側収納部にはこれを開閉する内扉と、この内扉を開放規制するソレノイドと、該ソレノイドへの通電を停止したときプランジャの先端を受け該ソレノイドのストロークを規定するプランジャ受け金具とを有し、該ソレノイドの規制解除により該内扉が開き後側収納部の商品が前側収納部に搬送される自動販売機の内扉開閉構造において、
前記プランジャ受け金具で前記プランジャとの接触部位には、該プランジャの先端面の面積より小さな突起を設けた
ことを特徴とする自動販売機の内扉開閉構造。
【請求項２】
前後に配置され互いに連通する商品の収納部を有し、この後側収納部にはこれを開閉する内扉と、この内扉を開放規制するソレノイドと、該ソレノイドへの通電を停止したときプランジャの先端を受け該ソレノイドのストロークを規定するプランジャ受け金具とを有し、該ソレノイドの規制解除により該内扉が開き後側収納部の商品が前側収納部に搬送される自動販売機の内扉開閉構造において、
前記プランジャの先端面の面積を該プランジャの他の部位の径方向断面積より小さく形成した
ことを特徴とする自動販売機の内扉開閉構造。
【請求項３】
前後に配置され互いに連通する商品の収納部を有し、この後側収納部にはこれを開閉する内扉と、この内扉を開放規制するソレノイドと、該ソレノイドへの通電を停止したときプランジャの先端を受け該ソレノイドのストロークを規定するプランジャ受け金具とを有し、該ソレノイドの規制解除により該内扉が開き後側収納部の商品が前側収納部に搬送される自動販売機の内扉開閉構造において、
前記プランジャの先端と前記プランジャ受け金具との間に絶縁部材を介在したことを特徴とする自動販売機の内扉開閉構造。
【発明の詳細な説明】
【０００１】
【発明の属する技術分野】
本発明は、前後に配置された商品の収納部を内扉で仕切り、この内扉をソレノイドで開放規制する自動販売機の内扉開閉構造に関するものである。
【０００２】
【従来の技術】
従来、この種の自動販売機の内扉開閉構造として出願人は既に特願平８ー５４９２０号に係る出願を提案している。
【０００３】
この自動販売機は、個別に区画された商品収納室を上下複数段に多数配置し、この商品収納室に収納された商品を個別に販売する構造となっている。また、この商品収納室は前後に互いに連通する２個の収納部を有しており、商品を販売するときは、まず、前側収納部の商品を販売し、この商品販売の後に空になった前側収納部に後側収納部の商品を搬送させ、この搬送された商品を次回に販売する。
【０００４】
このような販売操作において、前側収納部の前面にはこれを開閉する小扉を有し、また、後側収納部の前面には同じくこれを開閉する内扉を有しており、これらの各扉を開放することにより商品が販売される。
【０００５】
この内扉はソレノイドにより開閉制御するもので、内扉の閉鎖時は、ソレノイドへの通電を停止しており、これにより、プランジャの先端がプランジャ受け金具で支持される一方、プランジャに設けられた引っ掛け爪が内扉に係止し、内扉の開放を規制している。一方、内扉の開放時は、ソレノイドに通電してプランジャを上方に引き上げ、これにより、引っ掛け爪が内扉から外れ、内扉が開放される。
【０００６】
【発明が解決しようとする課題】
このような内扉の開閉構造において、ソレノイドに通電する際、プランジャとプランジャ受け金具が接触しているため、ソレノイドの磁力がプランジャ受け金具を通じて外に漏れてしまい、これにより、ソレノイドの吸引力が低下するという問題点を有していた。
【０００７】
本発明の目的は前記従来の課題に鑑み、ソレノイドの磁力漏れを少なくし、内扉の開放を確実に行うことができる自動販売機の内扉開閉構造を提供することにある。
【０００８】
【課題を解決するための手段】
本発明は前記課題を解決するため、請求項１の発明は、前後に配置され互いに連通する商品の収納部を有し、この後側収納部にはこれを開閉する内扉と、この内扉を開放規制するソレノイドと、ソレノイドへの通電を停止したときプランジャの先端を受けソレノイドのストロークを規定するプランジャ受け金具とを有し、ソレノイドの規制解除により内扉が開き後側収納部の商品が前側収納部に搬送される自動販売機の内扉開閉構造において、プランジャ受け金具でプランジャとの接触部位には、プランジャの先端面の面積より小さな突起を設けた構造となっている。
【０００９】
この発明によれば、プランジャとプランジャ受け金具との接触部位は、プランジャの先端面の面積よりも小さな突起となっているため、磁力の漏れ部分が非常に小さく、磁力漏れが低下する。
【００１０】
請求項２の発明は、プランジャの先端面の面積をプランジャの他の部位の径方向断面積より小さく形成しているため、前記請求項１と同様に磁力の漏れ部分が非常に小さくなる。
【００１１】
請求項３の発明は、プランジャの先端とプランジャ受け金具との間に絶縁部材を介在しているため、プランジャ側の磁力がこの絶縁部材により遮断され、磁力漏れが防止される。
【００１２】
【発明の実施の形態】
図１乃至図６は本発明に係る自動販売機の内扉開閉構造の第１実施形態を示すもので、図１は自動販売機の正面図、図２は自動販売機の断面図、図３は後側収納部に商品が収納されている状態を示す商品収納室の側面断面図、図４は後側収納部の商品が前側収納部に搬送された状態を示す側面断面図、図５はソレノイドの設置状態を示す側面図、図６は第１実施形態の要部を示す側面図である。
【００１３】
本発明が適用される自動販売機の全体構造を図１乃至図４を参照して説明する。即ち、この自動販売機は縦長の断熱箱にて構成された自動販売機本体１内に前面開口の内箱２を設け、この自動販売機本体１の前面開口を外扉３にて開閉自在としている。また、この自動販売機本体１と内箱２との間に通風ダクト４を形成しており、送風機５にて蒸発器６で冷却された空気を通風ダクト４に循環し（図２の１点鎖線矢印）、庫内冷却を行っている。また、この内箱２の前面開口には中扉７を設ける一方、内箱２の内部には上下及び左右に複数段に多数の商品収納室８を形成し、各商品収納室８と対向する中扉７の部位には商品収納室８の小扉９を設置している。また、この各商品収納室８は、互いに隣接する商品収納室８間で冷気が流通するよう縦横に多数のワイヤ８ａを組み込んで形成している。
【００１４】
なお、自動販売機の前面にはコイン投入口１０、紙幣投入口１１、返却レバー１２、返却口１３、投入金額等を表示するセグメント表示器１４等が設置される一方、小扉９には商品選択を行う選択スイッチ１５が設置されている。ここで、前側の商品Ａを購入するときは、コイン投入口１０に購入商品の金額（或いはそれ以上の金額）のコインを投入し、その後、外扉３を開放し、更に購入商品に対応する選択スイッチ１５を押す。しかる後、この選択スイッチ１５に対応する小扉９を開放し、商品Ａを取り出すようになっている。
【００１５】
このように構成された自動販売機において、前記各商品収納室８は前後に分割して２室構成となっており、この構成を図３乃至図５を参照して詳述する。
【００１６】
この商品収納室８は前後に仕切る仕切り扉機構８１を有し、この仕切り扉機構８１により前後に商品Ａを収納する収納部８２ａ，８２ｂを形成している。また、この仕切り扉機構８１は内扉８１２を有し、この内扉８１２を上下に回動することにより後側収納部８２ｂを開閉するようになっている。また、この回転軸８１２ａにはねじりコイルバネ８１２ｂが巻回され、この内扉８１２を開方向に付勢する一方、この内扉８１２の開方向への回転を規制するものとして内扉ソレノイド８１３を有している。
【００１７】
このソレノイド８１３の設置構造を図５を参照して説明する。このソレノイド８１３は、そのプランジャ８１３ａの先端に引っ掛け爪８１５ａを有する引っ掛け片８１５ｂを有している。この引っ掛け爪８１５ａは内扉８１２の裏面に突出した係止穴８１５ｃに対向しており、ソレノイド８１３が非通電状態にあるときは、プランジャ８１３ａには吸引力は働かず、プランジャ８１３ａはその自重で下方に移動し、引っ掛け爪８１５ａは係止穴８１５ｃに係止している（図３の内扉閉鎖状態）。一方、ソレノイド８１３に通電されているときは、プランジャ８１３ａに吸引力が働き、プランジャ８１３ａが上方に引き上げられ、これにより、引っ掛け爪８１５ａが係止穴８１５ｃから外れ、図４に示すように内扉８１２が開動作する。
【００１８】
このように、ソレノイド８１３への通電・非通電により内扉８１２が開閉されるが、このソレノイド８１３への非通電時にプランジャ８１３ａの下方への移動ストロークを規定するため、図６に示すように、プランジャ８１３ａの下方にスチール製のプランジャ受け金具８１６を設置している。また、このプランジャ受け金具８１６の上面、即ち、プランジャ８１３ａと接触する部位には、プランジャ８１３ａの先端面の面積より小さな突起８１６ａを設け、プランジャ８１３ａとプランジャ受け金具８１６との接触面積を小さくしている。
【００１９】
本実施形態によれば、前述の如く、突起８１６ａによりプランジャ８１３ａとプランジャ受け金具８１６との接触面積を小さくしているため、ソレノイド８１３への通電の際に発生する磁力がプランジャ８１３ａからプランジャ受け金具８１６へ漏れにくい。これにより、プランジャ８１３ａへの吸引力が低下することがなく、内扉８１２を確実に開動作させることができる。
【００２０】
なお、詳述しないが、内扉８１２が開放されたときは、コイルバネ８３２で前方に付勢された商品トレー８３１ａが後側収納部８２ｂから前側収納部８２ａに移動し、商品Ａが販売待機状態となる。
【００２１】
図７は内扉開閉構造の第２実施形態を示すもので、この実施形態では、前記第１実施形態の突起８１６に代えて、プランジャ８１３ａの先端８１３ｂの面積をプランジャ８１３ａの他の部位の径方向断面積よりも小さくしている。
【００２２】
この実施形態によれば、前記第１実施形態と同様にプランジャ８１３ａとプランジャ受け金具８１６との接触面積が小さくなるため、磁力の漏れが低くなる。
【００２３】
図８は内扉開閉構造の第３実施形態を示すもので、この実施形態では、前記第１実施形態の突起８１６に代えてプランジャ８１３ａとプランジャ受け金具８１６との間に絶縁シート８１７を介在している。
【００２４】
この実施形態によれば、ソレノイド８１３の磁力がこの絶縁シート８１７で遮断され、磁力漏れを防止することができる。
【００２５】
なお、前記第１実施形態では、突起８１６ａをプランジャ受け金具８１６に設けているが、プランジャ８１３ａの先端に設けても良い。
【００２６】
【発明の効果】
以上説明したように、本発明によれば、プランジャとプランジャ受け金具との接触面積を小さくすることにより、また、両者の間に絶縁シートを介在させることにより、磁力漏れを低減し、内扉の開放動作を確実に行うことができる。
【図面の簡単な説明】
【図１】自動販売機の正面図
【図２】自動販売機の断面図
【図３】後部収納部に商品が収容されている状態を示す商品収納室の側面断面図
【図４】後側収納部の商品が前側収納部に搬送された状態を示す側面断面図
【図５】ソレノイドの設置状態を示す側面図
【図６】第１実施形態の要部を示す側面図
【図７】第２実施形態の要部を示す側面図
【図８】第３実施形態の要部を示す側面図
【符号の説明】
１…自動販売機、８…商品収納室、８１２…内扉、８１３…ソレノイド、８１３ａ…プランジャ、８１６…プランジャ受け金具、８１６ａ…突起、８１７…絶縁シート。
【図１】
0003869912.tif 000002
【図２】
0003869912.tif 000003
【図３】
0003869912.tif 000004
【図４】
0003869912.tif 000005
【図５】
0003869912.tif 000006
【図６】
0003869912.tif 000007
【図７】
0003869912.tif 000008
【図８】
0003869912.tif 000009